(57)【要約】【課題】蒸発器への送風性能や、メンテナンス時の作業性に優れたヒートポンプ式熱源装置を提供すること。【解決手段】底板１に配設した熱交換器３と、前記熱交換器３を覆う断熱体４と、蒸発器２と、前記蒸発器２に送風する送風手段６と、前記送風手段６を前記底板１に固定する固定具８とを備え、前記断熱体４の上面に係合部７、前記固定具８に被係合部９を設け、前記係合部７と被係合部９とを係合することを特徴とするもので、前記断熱体４が前記底板１上を移動しないようにできるとともに、蒸発器２への送風を妨げられる面積が小さくなり送風性能が向上するとともに、熱交換器３のメンテナンス時の作業効率を向上できる。【選択図】図１
2011133149.tif 000002
【特許請求の範囲】
【請求項１】
底板に配設した熱交換器と、前記熱交換器を覆う断熱体と、蒸発器と、前記蒸発器に送風する送風手段と、前記送風手段を前記底板に固定する固定具とを備え、前記断熱体の上面に係合部、前記固定具に被係合部を設け、前記係合部と被係合部とを係合することを特徴とするヒートポンプ熱源装置。
【請求項２】
固定具を、蒸発器と底板とで狭持することを特徴とする請求項１に記載のヒートポンプ熱源装置。
【請求項３】
係合部を凸形状とし、被係合部を開口穴としたことを特徴とする請求項１または２に記載のヒートポンプ熱源装置。
【請求項４】
断熱体は複数の構造体により構成され、一つの構造体に係合部を設けるとともに、他の構造体を、前記係合部を設けた構造体と着脱可能に構成したことを特徴とする請求項１〜３のいずれか１項に記載のヒートポンプ熱源装置。
【請求項５】
断熱体の構造体の着脱可能な互いの接触面を、凹凸形状としたことを特徴とする請求項１〜４のいずれか１項に記載のヒートポンプ熱源装置。
【請求項６】
請求項１〜５のいずれか１項に記載のヒートポンプ熱源装置を搭載したヒートポンプ給湯機。
【発明の詳細な説明】
【技術分野】
【０００１】
本発明は、ヒートポンプ式熱源装置に関するもので、特に、冷媒―水熱交換器を具備したヒートポンプ式熱源装置の構造に関するものである。
【背景技術】
【０００２】
従来の、この種のヒートポンプ式熱源装置は、底板上に圧縮機、蒸発器、熱交換器を載置して構成され、前記熱交換器は断熱体で外装されているとともに、前記断熱体の上からその周囲を覆うように構成された保護カバーを具備しており、さらに前記保護カバーの上面に、蒸発器に通風させるための送風手段を載置固定する構成となっている（例えば、特許文献１参照）。
【０００３】
図４は、上記特許文献１に記載された従来のヒートポンプ式熱源装置を示すものである。図４に示すように、底板１と、蒸発器２と、熱交換器３と、断熱体４と、保護カバー５、送風手段６から構成されている。
【先行技術文献】
【特許文献】
【０００４】
【特許文献１】特開２００５−１４７６１９号公報
【発明の概要】
【発明が解決しようとする課題】
【０００５】
しかしながら、前記従来の構成では断熱体４にさらに保護カバー５を配置するため、蒸発器２への送風が妨げられる面積が大きくなり送風性能が低下するという課題があった。
【０００６】
また、熱交換器３が断熱体４にて覆われており、熱交換器のメンテナンス時の作業効率が悪いという課題もあった。
【０００７】
本発明は、前記従来の課題を解決するものであり、蒸発器への送風性能や、メンテナンス時の作業性に優れたヒートポンプ式熱源装置を提供することを目的とする。
【課題を解決するための手段】
【０００８】
前記従来の課題を解決するために、本発明のヒートポンプ式熱源装置は、底板に配設した熱交換器と、前記熱交換器を覆う断熱体と、蒸発器と、前記蒸発器に送風する送風手段と、前記送風手段を前記底板に固定する固定具とを備え、前記断熱体の上面に係合部、前記固定具に被係合部を設け、前記係合部と被係合部とを係合することを特徴とするもので、前記断熱体が前記底板上を移動しないようにできるとともに、蒸発器への送風を妨げられる面積が小さくなり送風性能が向上するとともに、熱交換器のメンテナンス時の作業効率を向上できる。
【発明の効果】
【０００９】
本発明によれば、蒸発器への送風性能や、メンテナンス時の作業性に優れたヒートポンプ式熱源装置を提供することができる。
【図面の簡単な説明】
【００１０】
【図１】本発明の実施の形態１におけるヒートポンプ式熱源装置の側面断面図
【図２】同断熱体の斜視図
【図３】同断熱体の断面斜視図
【図４】従来のヒートポンプ式熱源装置の斜視図
【発明を実施するための形態】
【００１１】
第１の発明は、底板に配設した熱交換器と、前記熱交換器を覆う断熱体と、蒸発器と、前記蒸発器に送風する送風手段と、前記送風手段を前記底板に固定する固定具とを備え、前記断熱体の上面に係合部、前記固定具に被係合部を設け、前記係合部と被係合部とを係合することを特徴とするもので、前記断熱体が前記底板上を移動しないようにできるとともに、蒸発器への送風を妨げられる面積が小さくなり送風性能が向上するとともに、熱交換器のメンテナンス時の作業効率を向上できる。
【００１２】
第２の発明は、固定具を、蒸発器と底板とで狭持することを特徴とするもので、固定具の抑える力が強固となり、断熱体の保持力が増すとともに、送風手段の支持力も向上し送風性能を安定させることができる。
【００１３】
第３の発明は、係合部を凸形状とし、被係合部を開口穴としたことを特徴とするもので、係合部以外の断熱体の厚みを必要最小限にすることが可能となり、送風性能への影響をさらに低減することができる。また、熱交換器のメンテナンス時の作業効率を向上できる。
【００１４】
第４の発明は、断熱体は複数の構造体により構成され、一つの構造体に係合部を設けるとともに、他の構造体を、前記係合部を設けた構造体と着脱可能に構成したことを特徴とするもので、一つの構造体に係合部が設けられ、係合部と固定具の被係合部とを係合されたまま、他の構造体が取り外し可能な構成とすることにより、断熱体内部に配された熱交換器を、前記固定具を外すことなく取り出すことが可能となり、熱交換器のメンテナンス時の作業性を向上することができる。
【００１５】
第５の発明は、断熱体の構造体の着脱可能な互いの接触面を、凹凸形状としたことを特徴とするもので、断熱体の内外の沿面距離を長くすることとなり、前記断熱体内部の暖気の漏れを低減することができる。
【００１６】
第６の発明は、第１〜５のいずれかの発明のヒートポンプ熱源装置を搭載したヒートポンプ給湯機で、熱交換器を冷媒―水熱交換器とした場合に、ヒートポンプ給湯機に有用である。
【００１７】
以下、本発明の実施の形態について、図面を参照しながら説明する。なお、この実施の形態によって本発明が限定されるものではない。
【００１８】
（実施の形態）
図１は、本発明の第１の実施の形態におけるヒートポンプ式熱源装置の側面断面図を示すものである。図１において、内部に熱交換器３を配した発泡スチロール製の断熱体４は、底板１の上に設けられており、断熱体４の上部は凸形状の係合部７が成形されており、固定具８の穴状の被係合部９と係合し固定されている。
【００１９】
また、固定具８は底板１に締結ビスで締結されるとともに、底板１と蒸発器２とで狭持され、断熱体４の上方で送風手段６を支持固定している。
【００２０】
図２は、本発明の第１の実施の形態における断熱体４の斜視図を示すものである。図２において、断熱体４は箱体部４ａと蓋部４ｂの二つの構造体で構成され、箱体部４ａの上面に凸形状の係合部７が成形されている。
【００２１】
図３は、本発明の第１の実施の形態における断熱体４の断面斜視図を示すものである。図３において、断熱体４は箱体部４ａと蓋部４ｂの接合面を、凹凸形状としている。
【００２２】
以上のように構成されたヒートポンプ式熱源装置について、以下に説明する。
【００２３】
まず、底板１の上に設けられた断熱体４は、固定具８により上方向の浮きが防止されるとともに、断熱体４の上面に形成された凸形状の係合部７が、固定具８の被係合部９である開口部に挿入されることで、断熱体４の前後左右の移動防止が可能となり、少ない部品点数で送風性能への影響を抑えながら確実に位置固定される。
【００２４】
また、固定具８は底板１とで狭持されており、強固に断熱体４の浮きを抑えられるとともに、ねじれが減るため、送風手段６の軸の揺れを抑制することができる。また、係合部７を、断熱体４の上表面に対し凸形状とすることにより、係合部７以外の断熱体４の厚みを必要最小限にすることが可能となる。
【００２５】
また、断熱体４を、箱体部４ａと蓋部４ｂの二つの構造体により構成し、箱体部４ａに係合部７を設けたことにより、係合部７と固定具８の被係合部９とを係合したままでも、蓋部４ｂを取り外し、断熱体４の内部に配された熱交換器３を取り出すことが可能となる。
【００２６】
また、箱体部４ａと蓋部４ｂとの互いの接触面を、凹凸形状とすることにより、断熱体４の内外の沿面距離を長くとることとなる。
【００２７】
以上のように、本実施の形態においては、断熱体４の上面に係合部７、固定具８に被係合部９を設け、係合部７と被係合部９とで係合するもので、断熱体４が底板１の上を移動しない構成とすることにより、保護カバーを廃止できるので、蒸発器２への送風を妨げられる面積が小さくなり、送風性能が向上するとともに、構成部品を小型化できコスト低減を可能とすることができる。
【００２８】
また、固定具８を、蒸発器２と底板１とで狭持する構成とすることにより、固定具８の抑える力が強固となり、断熱体４の保持力が増すとともに、送風手段６の支持力も向上し送風性能を安定させることができる。
【００２９】
また、係合部７を、断熱体４の表面に対し凸形状とすることにより、係合部７以外の断熱体４の厚みを必要最小限にすることが可能となり、送風性能への影響をさらに低減することができる。
【００３０】
また、断熱体４を、箱体部４ａと蓋部４ｂの二つの構造体により構成し、箱体部４ａに係合部７が設けられ、係合部７と固定具８の被係合部９とで係合されたまま、蓋部４ｂが取り外し可能な構成とすることにより、断熱体４の内部に配された熱交換器３を、固定具８を外すことなく取り出すことが可能となり、熱交換器３のメンテナンス時の作業効率を向上することができる。
【００３１】
また、箱体部４ａと蓋部４ｂとの互いの接触面を、凹凸形状としたことにより、断熱体４の内外の沿面距離を長くとることとなり、断熱体４の内部の暖気の漏れを低減することができる。
【産業上の利用可能性】
【００３２】
以上のように、本発明にかかるヒートポンプ式熱源装置は、送風性能が向上するとともに、メンテナンス時の作業効率を向上することができるので、ヒートポンプ式給湯機やエ
アコンの室外機等の用途に適用できる。
【符号の説明】
【００３３】
１  底板
２  蒸発器
３  熱交換器
４  断熱体
４ａ  箱体部
４ｂ  蓋部
６  送風手段
７  係合部
８  固定具
９  被係合部
【図１】
2011133149.tif 000003
【図２】
2011133149.tif 000004
【図３】
2011133149.tif 000005
【図４】
2011133149.tif 000006